(57)【要約】      （修正有）【課題】非梱包物が包装箱のサイズより小さくても、より確実に包装箱の内部で非梱包物を保持できる保持部材を提供する。【解決手段】保持部材５は一枚の板材から形成し、後面の上端に上面、下端に下面を有し、上面の前端は更に上方へ延びる前面を有する。後面から上面にかけて上下方向に延びる２本の切線で切った中間部を折って、下面より上方に第二下面と、前面より後方に第二前面とを設け、物品を載せ、物品の左右を後面の切線で挟み上側を上面で押さえる。また包装箱２後面に破断線で区画して開封部とその上側の押開面を設け、押開面を押込むと保持部材の後面上端より上方の位置で押込まれる様に設定すれば、開封作業が容易になる。また同梱書類を後面と物品の間に収納すれば、書類を後方への緩衝材としても利用でき、開封時は品物より先に書類が取出せるので、開封者に対し書類への注意を喚起できる。【選択図】図１
2019199267.tif 000002
【特許請求の範囲】
【請求項１】
物品（３、４）を保持して包装箱（２）に収納する保持部材（５）において、
該保持部材は一枚の板材を折って形成され、
後面（５２）と、該後面の上端に第一折線（５３）および該第一折線と同一線上の第二折線（５４）を介して前方に延びる上面（５５）と、該後面の下端に第二折線（５４）を介して前方に延びる下面（５７）と、該上面の前端に第四折線（５８）を介して上方に延びる前面（５９）と、
を有し、
該後面に上下方向に延び上端が該第一折線に達する第一切線（６０）及び上端が該第二折線に達する第二切線（６１）と、該第一及び該第二切線の下端をつなぐ第五折線（６８）を有し、
該上面に前後方向に延び後端が該第一切線の該上端に達する第三切線（６３）及び後端が該第二切線の該上端に達する第四切線（６４）と、該第三及び該第四切線の前端をつなぐ第六折線（６５）を有し、
該第五折線から前側に折って第二下面（７０）を形成し、
該第二下面の前端の第七折線（７１）から上側に折って第二前面（７２）を形成し該第二前面の上端は該第六折線を介して該上面に接続し、
該後面の該第一及び該第二切線で該物品の左右両側を挟み該第二下面で該物品の下側を保持し該第二前面で該物品の前側を保持して該包装箱に収納すること、
を特徴とする、保持部材。
（効果：後面の第一及び第二切線で物品の左右両側を保持し、第二下面で物品の下側を保持し、第二前面で物品の前側を保持するので、物品の前側を第二前面で持ち上げ後面を箱の内側に直接当てて保持することができる）
【請求項２】
該第三切線及び該第四切線は後端から前方にかけて互いに接近しあう様に屈曲して該上面に第一突部（６６）及び第二突部（６７）を形成し、
該上面の該第一及び該第二突部で該物品の上側を保持すること、
を特徴とする、請求項１に記載の保持部材。
（効果：さらに上面の第一及び第二突部で物品の上側を保持するので、物品をより確実に保持することができる）
【請求項３】
該第五折線を左右に分断しその中間部を上側へ向け第五切線（６８）でコの字型に切って該後面に第三突部（６９）を形成し、
該後面の該第三突部で該物品の後側を保持すること、
を特徴とする、請求項１または２に記載の保持部材。
（効果：さらに後面の第三突部で物品の後側を保持するので、物品をより確実に保持することができる）
【請求項４】
該包装箱の後面（１８）の中央に左右側を破断線（２０、２１）で区画した開封部（１９）と該開封部の上端に隣接し該包装箱の該後面の左右側と上側を該包装箱の該後面から破断線（２５）で区画した押開面（２４）とを有し、
該物品を該保持部材で保持して該包装箱へ収納したとき該押開面は該保持部材の該第二折線より上側に配置されること、
を特徴とする、請求項１乃至３のいずれか１項に記載の保持部材。
（効果：箱の後面に破断線で区画した開封部とその上端に押開面があり、押開面の内側には保持部材の後面がないので、押開面を指で押込むと保持部材に邪魔されず押開面を奥まで押込むことができる。さらに請求項２を含めれば、指で押込んだ押開面の裏面がそのまま上面の第一及び第二突部の間にかかるので、押込んだ指で開封部をめくり開けるとき同時に押開面の裏面で物品の上側を引掛けて速やかに保持部材から外して取出すことができる）
【請求項５】
該物品と共に同梱する書類（６）を該包装箱の該後面と該物品の間に収納すること、
を特徴とする、請求項１乃至４のいずれか１項に記載の保持部材。
（効果：物品に同梱する書類を後面と物品の間に収納するので、書類は後面方向への緩衝材としても機能でき、かつ包装箱を開封すると品物と一緒に書類が取り出せるので、開封者に対し書類への注意を喚起させることができる）
【発明の詳細な説明】
【技術分野】
【０００１】
本発明は、物品を収納する包装箱に関し、特に保持部材を設けて物品を箱の内部で固定し、さらにこれを密封して収納する包装箱に関するものである。
【背景技術】
【０００２】
例えばカメラやプリンタ等の「主製品」に対して、そこに装着する交換電池やインクカートリッジ等を「付属品」とした場合、それらは現品よりも相当に大きい包装箱に梱包する場合が多い。これは、「付属品」自体は小さくても表記内容を記載するために一回り大きい箱が必要であったり、落下衝撃の影響を防ぐ緩衝空間を確保する等の理由による。またガラスや衝撃に弱い製品を収納する場合には緩衝空間はより重要であり、さらには衛生上や偽造防止の観点から密閉構造の箱を採用して開封時には箱を破壊させ再封緘ができない構造にしたものも多い。
【０００３】
例えば特許文献１は、物品を保持する保持部材を形成し、物品を保持した状態で箱へ収納する包装体である。箱の中で物品は平板で縦横方向を保持されてガタつくことなく安定し、開封時は箱の一面を解放して物品を取り出すことができる。
【０００４】
また特許文献２は、保持部材に医療用などの物品を嵌めて保持してから箱へ収納し、その箱を密封する包装体である。緩衝性を高めるために物品に合わせて成型した保持部材を使用し、開封時は箱の一面に設けた破断線を破いて大きく開封して、物品を保持部材から外すか保持部材ごと箱から取出せる様に工夫している。
【先行技術文献】
【特許文献】
【０００５】
【特許文献１】特開２０１６−１７５６５７号公報
【特許文献２】特許第６２４２６０７号公報
【発明の概要】
【発明が解決しようとする課題】
【０００６】
ところで付属品の種類が多くなると、なるべく箱を共通化してコストダウンを行なう必要が生じる。この場合、特許文献１では、物品より縦横方向が一回り大きい保持部材とそれに合わせたサイズの箱を使用するので、縦横方向が多少異なる物品であれば、それに合わせて保持部材の寸法を設定すれば共通の箱を使用できる。しかし物品の厚さ方向までが異なると、それに合わせて新しい箱を設けたり、あらかじめ箱の厚さを多めにしておいて別途スペーサなどで厚さ調節を行なうことが必要となる。
【０００７】
また、偽造防止等の防護策が必要な付属品においては密封構造と開封手段を設ける必要がある。しかし特許文献２の様な方式では、物品を取出すために箱全体にわたって破断線を設けるので箱の強度が低下しやすい。
【０００８】
そこで本発明の目的は、保持部材を設けて物品を箱の内部で固定する包装箱において、より寸法の異なる各種の収納物に対応でき、さらにこれを密封して収納しても取り出し操作が容易な包装箱を提供することである。
【課題を解決するための手段】
【０００９】
上記目的を達成するために、本発明は、
物品を保持して包装箱に収納する保持部材において、
該保持部材は一枚の板材を折って形成され、
後面と、該後面の上端に第一折線および該第一折線と同一線上の第二折線を介して前方に延びる上面と、該後面の下端に第三折線を介して前方に延びる下面と、該上面の前端に第四折線を介して上方に延びる前面と、
を有し、
該後面に上下方向に延び上端が該第一折線に達する第一切線及び上端が該第二折線に達する第二切線と、該第一及び該第二切線の下端をつなぐ第五折線を有し、
該上面に前後方向に延び後端が該第一切線の該上端に達する第三切線及び後端が該第二切線の該上端に達する第四切線と、該第三及び該第四切線の前端をつなぐ第六折線を有し、
該第五折線から前側に折って第二下面を形成し、
該第二下面の前端の第七折線から上側に折って第二前面を形成し該第二前面の上端は該第六折線を介して該上面に接続し、
該後面の該第一及び該第二切線で該物品の左右両側を挟み該第二下面で該物品の下側を保持し該第二前面で該物品の前側を保持して該包装箱に収納すること、
を特徴とする。
さらに本発明は、
該第三切線及び該第四切線は後端から前方にかけて互いに接近しあう様に屈曲して該上面に第一突部及び第二突部を形成し、
該上面の該第一及び該第二突部で該物品の上側を保持すること、
を特徴とする。
さらに本発明は、
該第五折線を左右に分断しその中間部を上側へ向け第五切線で略コの字型に切って該後面に第三突部を形成し、
該後面の該第三突部で該物品の後側を保持すること、
を特徴とする。
さらに本発明は、
該包装箱の後面の略中央に左右側を破断線で区画した開封部と該開封部の上端に隣接し該包装箱の該後面の左右側と上側を該包装箱の該後面から破断線で区画した押開面を有し、
該物品を該保持部材で保持して該包装箱へ収納したとき該押開面は該保持部材の該第一折線および該第二折線より上側に配置されること、
を特徴とする。
さらに本発明は、
該物品と共に同梱する書類（６）を該包装箱の該後面と該物品の間に収納すること、
を特徴とする。
【発明の効果】
【００１０】
本発明によれば、保持部材の後面の第一及び第二切線で物品の左右両側を保持し、第二下面で物品の下側を保持し、第二前面で物品の前側を保持するので、物品の前側を第二前面で持ち上げ後面を箱の内側に直接当てて保持することができる。さらに上面の第一及び第二突部で物品の上側を保持し、さらに後面の第三突部で物品の後側を保持するので、物品をより確実に保持することができる。また開封時は押開面を指で押込んでそのまま開封部をめくると同時に物品の上側を引掛けて、速やかに保持部材から外して取出すことができる。さらに物品に同梱する書類を後面と物品の間に収納すれば、書類は後面方向への緩衝材としても機能でき、かつ包装箱を開封すると品物より先に書類が取り出せるので、開封者に対し書類への注意を喚起させることができる。
【図面の簡単な説明】
【００１１】
【図１】本発明による包装部材の全体図
【図２】本発明による包装箱の展開図
【図３】包装箱を折る手順の図
【図４】本発明による被梱包物（電池）の全体図
【図５】本発明による保持部材の展開図
【図６】保持部材を折る手順の図
【図７】包装箱を組み立てる手順の図
【図８】電池を保持部材に固定させる手順の図
【図９】電池を包装箱に包装させる手順の図
【図１０】包装箱を開封させる手順の図
【発明を実施するための形態】
【００１２】
以下に、本発明の好ましい実施の形態を、添付の図面に基づいて詳細に説明する。
【００１３】
［実施例１］
以下、本発明の実施例による包装箱について説明する。図１は本発明による包装部材の全体図である。１は包装体で、２は包装箱であり、３は被梱包物となる電池、４は電池３に被せる電池カバー、５は電池３を保持して包装箱２へ収納する保持部材、６は電池３の説明書である。
【００１４】
まず包装箱２の詳細を説明する。包装箱２は所謂吊下げ式の箱で、コートボール紙で形成しており、図２は包装箱２の展開図である。１１は前面で、折線１２を介して上面１３が隣接し、さらに折線１４を介して吊下面１５が隣接し、ここに吊下穴１６ａが設けてある。さらに折線１７を介して後面１８が隣接し、ここにも吊下穴１６ｂが設けてある。
【００１５】
また、後面１８には開封部１９が設けてある。これは後面１８の中央部を破断線２０と２１で、及び罫線２２と２３で区画して形成したもので、後面１８の略中央に配置してある。また開封部１９の上側には押開面２４を設けてあり、これは破断線２０と２１に接続した破断線２５と罫線２３で区画され、上側を頂点にして下辺を開封部１９の横幅に合わせた略三角形の形状となっている。ここで後面１８の下端から罫線２３までの寸法をＬ１とする。
【００１６】
次に、前面１１には折線２６を介して下面２７が隣接し、さらに折線２８を介して貼合面２９が隣接している。また、後面１８には折線３０と３１を介して左面３２と右面３３が隣接し、それぞれ折線３４と３５を介して差込面３６と３７が隣接している。また、上面１３には折線３８と３９を介してフラップ４０と４１が隣接し、下面２７には折線４２と４３を介してフラップ４４と４５が隣接している。なお、後面１８に設けた各部は後面１８を中心に左右対称形状に構成してあり、開封部１９と押開面２４も左右対称の中心位置にある。
【００１７】
この包装箱２は、図３ａの様に裏返した状態で、図３ｂの様に折線２６を折って貼合面２９を前面１１の上に重ね、さらに図３ｃの様に折線１７を折って後面１８を吊下面１５の上に重ねる。すると吊下穴１６ａと１６ｂが重なって吊下穴１６が形成される。さらに貼合面２９を後面１８に貼り合わせ、かつ吊下面１５を後面１８に貼り合わせて図３ｄの状態にしておく。
【００１８】
次に、図４にて電池３の詳細を説明する。電池３は略直方体を成し、包装箱２対して縦横高さのサイズがいずれも少なくなっており、保持部材５に保持されて包装箱２に収納されるものである。上側には電極を保護する電池カバー４が装着されており、そのぶん上側の方が大きくなっている。このとき電池の厚さは寸法Ｌ２、電池カバー４の厚さは寸法Ｌ３とする。
【００１９】
次に、保持部材５の詳細を説明する。保持部材５は一枚の板材を折って形成されている。図５は保持部材５の展開図であり、５１は目方向を表す記号で、上下方向であることを示している。５２は後面で、上端の同線上に設けた第一折線５３および第二折線５４を介して上面５５がある。そして下端には第三折線５６を介して下面５７があり、さらに上面５５に第四折線５８を介して前面５９がある。
【００２０】
ここで後面５２の縦寸法をＬ４、前面５９の縦寸法をＬ５とする。また後面５２には上下方向に延び上端が第一折線５３に達する第一切線６０と、同じく上下方向に延び上端が第二折線５４に達する第二切線６１とがある。また第一切線６０及び第二切線６１の下端をつなぐ様に第五折線６２があり、これは後述する様に左線６２ａと右線６２ｂに分断している。なお第三折線５６から第五折線６２までの縦寸法Ｌ６は、先述した前面５９の縦寸法Ｌ５と略同等に設定してある。
【００２１】
また、上面５５には第一切線６０の上端から延びる第三切線６３及び第二切線６１の上端から延びる第四切線６４と、第三切線６３及び第四切線６４の先端をつなぐ第六折線６５がある。第三切線６３及び第四切線６４は互いに接近しあう様に屈曲して延びており、そのため上面５５には互いに向かって突出しあう第一突部６６及び第二突部６７を形成している。ここで上面５５の第一折線５３および第二折線５４から第六折線６５までの寸法をＬ７とし、これは先述した電池カバー４の厚さ寸法Ｌ３より小さくなる様に設定している。
【００２２】
また、後面５２の第五折線６２は先述した様に左線６２ａと右線６２ｂに分断され、その中間を第五切線６８で上方へ向け略コの字型に切って、後面５２に第三突部６９を形成している。そして第五折線６２と第三突部６９の上側に第二下面７０があり、さらに第七折線７１を介して第二前面７２があり、それは第六折線６５を介して上面５５に接続している。ここで第二下面７０の縦寸法をＬ８とし、これは先述した電池３の厚さ寸法Ｌ２より大きくなる様に設定している。なお、この保持部材５は左右対称形状に構成してあり、第二下面７０と第二前面７２は左右の中心位置にある。
【００２３】
この保持部材５は図６ａの状態から図６ｂの様に、第一折線５３と第二折線５４と、第五折線６２と第六折線６５を山折り、第七折線７１を谷折りして図６ｃの様にする。さらに第三折線５６を山折りし、第四折線５８を谷折りして、図６ｄの状態にする。すると、保持部材５は後面５２の下端に第三折線５６を介して下面５７が前方に延び、後面５２の上端に第一折線５３と第二折線５４を介して上面５５が前方に延び、上面５５の前端に第四折線５８を介して前面５９が上方に延びる。
【００２４】
また上面５５の第三切線６３は前後方向に延び後端が第一切線６０の上端に達し、第四切線６４も前後方向に延び後端が第二切線６１の上端に達し、第三切線６３と第四切線６４の前端を第六折線６５でつないだ状態となる。第三切線６３及び第四切線６４は先述の様に、互いに接近しあう様に屈曲しているので、上面５５には互いに向かって突出しあう第一突部６６及び第二突部６７が形成される。
【００２５】
そして第二下面７０は第五折線６２から前側に延び、その前端の第七折線７１から第二前面７２が上側に延び、その上端は第六折線６５を介して上面５５に接続している。第五折線６２は先述の様に、左線６２ａと右線６２ｂに分断されその中間を第五切線６８で上側へ向け略コの字型に切っているので、後面５２には上方へ向けて突出した第三突部６９が形成される。
【００２６】
また先述の様に、第二前面７２は保持部材５の左右対称形状の中心位置にあり、かつ第三折線５６から第五折線６２までの寸法Ｌ６は前面５９の寸法Ｌ５と略同等なので、第二前面７２は後方から見て保持部材５の全体の略中央になる。最後に、説明書６は電池３の使用方法や保証内容等をＡ３サイズの用紙に記載したもので、これを５回折っておよそ縦７４ｍｍ横５２ｍｍの寸法にしてある。
【００２７】
本発明による包装体は以上の部品で構成されている。次に、この包装体を包装する方法を説明する。まず、包装箱２を組み立てる。包装箱２を図７ａから折線１２と１４と２８を折り、折線２６を起こして図７ｂの状態にする。次に、フラップ４０と４４を折線３８と４２で折り、左面３２を折線３０で折りながら差込面３６を折線３４で折って差込んで接着し、図７ｃの様にする。
【００２８】
次に、電池３を保持部材５に固定させる。それにはまず、電池３の下側を図８ａから図８ｂの様に第三突部６９の前方へ差し込む。すると先述の様に、第二下面７０の寸法Ｌ８は電池３の厚さ寸法Ｌ２より大きくなる様に設定しているので、電池３の下側は第三突部６９の前側に収まって第二下面７０と第二前面７２に突き当たる。そのまま図８ｃの様に電池３を前方へ押し込むと、電池カバー４が第二前面７２に突き当たる。このとき先述の様に、電池カバー４の厚さ寸法Ｌ３は上面５５の第一折線５３および第二折線５４から第六折線６５までの寸法Ｌ７より大きいので、電池カバー４の前側が第二前面７２に突き当たっても、後側は後面５２より後方へ飛び出した状態となる。
【００２９】
そして飛び出した部分は左右方向を後面５２の第一切線６０と第二切線６１とで挟まれる。すなわち、保持部材５は後面５２の第一切線６０及び第二切線６１で電池カバー４の左右両側を保持し、第二下面７０で電池３の下側を保持し、第二前面７２で電池３と電池カバー４の前側を保持することができる。特に、電池３の厚さが少ない分を第二前面７２で電池３の前側を持ち上げているので、確実に保持できる。なお、もし電池カバー４の寸法Ｌ３が少ない、あるいは電池カバー４自体が存在せず電池３のみを保持する場合は、その分保持部材５の寸法Ｌ７を少なく設定すれば、同様に後側を後面５２より後方へ飛び出した状態にして保持できる。
【００３０】
また、電池３は第一突部６６と第二突部６７で電池カバー４の上面を保持されるので、電池３をより確実に保持できる。さらに、電池３は下側の前後方向を第二前面７２と第三突部６９で挟まれるので、第三突部６９で電池３の後側をより確実に保持することができる。
【００３１】
なお、このとき前述の様に第一突部６６と第二突部６７の間は上方に開放されて電池３の電池カバー４が露出している。また先述の様に第二前面７２は後方から見て保持部材５の全体の略中央になるので、電池３は保持部材５の後方から見ると全体の略中央に保持された状態となっている。
【００３２】
次に、図９ａの様に、この電池３を装着した保持部材５に説明書６を電池３の後方に重ねて図９ｂの様に一緒に収納させる。これを側面からみると図９ｃの様に、保持部材５の下面５７が包装箱２の下面２７に隣接し、下面５７の前端が包装箱２の下面２７と前面１１との角に当接する。また保持部材５の前面５９も包装箱２の前面１１に隣接し、前面５９の上端が包装箱２の前面１１と上面１３との角に当接する。そして包装箱２のフラップ４１と４５を折り、右面３３を折りながら差込面３７を差込んで接着し、図９ｄの様にする。なお、左面３２と右面３３は保持部材５の挿入前の順序を逆にしてもよい。
【００３３】
本発明による包装体１は以上の様に包装される。そして吊下穴１６を引掛けて店頭などに吊下げ展示され販売される。このとき先述の様に、開封部１９は後面５２の略中央にのみ存在し、包装箱２の角部や稜線にないので、不用意に包装箱２を落としても開封部１９に衝撃が加わりにくい。また電池３は包装箱２の中で上下左右と前側を保持部材５で保持されているので、電池３への衝撃を緩和できる。さらに包装箱２の後面５２と電池３の間に折り畳んだ説明書６を入れてあるので、この説明書６がクッションとなって電池３の後側への衝撃も緩和できる。
【００３４】
次に、この包装体を開封する方法を説明する。まず、図１０ａの様に包装箱２に設けた押開面２４を前方向へ指で押し込み、破断線２５を破断させ罫線２３で前方へ折る。このとき、押開面２４は上側を頂点にした略三角形の形状なので、はじめに頂点から押し込んで開けやすく、下辺を開封部１９の横幅に合わせたので、そのまま押し込めば容易に開封部１９の横幅いっぱいまで開くことができる。このとき先述の様に、保持部材５の後面５２の縦寸法Ｌ４は、包装箱２の下面５７から罫線２３までの寸法Ｌ１より短い寸法に設定してある。
【００３５】
そのため図１０ｂの様に、押開面２４は保持部材５の後面５２の上端より上方に位置しているから、後面５２にじゃまされることなく押開面２４を奥まで押し込むことができる。次に、図１０ｃの様に押開面２４を指でひっかけたまま後方に引き出し、破断線２０と２１を破断させながら開封部１９を後方に引き起こす。すると図１０ｄの様に、電池３と説明書６を取り出すことができる。先述の様に、説明書６は包装箱２の後面５２と電池３の間に収納しているから、開封すると電池３と一緒に取り出せるので、開封者に対し説明書６への注意を喚起させることができる。
【００３６】
また、先述の様に、保持部材５の第一突部６６と第二突部６７の間は上方に開放されて電池３の電池カバー４が露出しているので、図１０ｂの様に押開面２４を奥まで押し込み、そのまま図１０ｅの様に押開面２４の裏面で電池カバー４を引掛けて電池３と説明書を一緒に引き出すこともできる。
【符号の説明】
【００３７】
１：包装体、２：包装箱、３：電池、４：電池カバー、５：保持部材、６：説明書、
１１：前面、１２：折線、１３：上面、１４：折線、１５：吊下面、１６：吊下穴、１６ａ〜１６ｂ：吊下穴、１７：折線、１８：後面、１９：開封部、２０〜２１：破断線、２２〜２３：罫線、２４：押開面、２５：破断線、２６：折線、２７：下面、２８：折線、２９：貼合面、３０〜３１：折線、３２：左面、３３：右面、３４〜３５：折線、３６〜３７：差込面、３８〜３９：折線、４０〜４１：フラップ、４２〜４３：折線、４４〜４５：フラップ、５１：目方向を表す記号、５２：後面、５３：第一折線、５４：第二折線、５５：上面、５６：第三折線、５７：下面、５８：第四折線、５９：前面、６０：第一切線、６１：第二切線、６２：第五折線、６２ａ：左線、６２ｂ：右線、６３：第三切線、６４：第四切線、６５：第六折線、６６：第一突部、６７：第二突部、６８：第五切線、６９：第三突部、７０：第二下面、７１：第七折線、７２：第二前面、
【図１】
2019199267.tif 000003
【図２】
2019199267.tif 000004
【図３】
2019199267.tif 000005
【図４】
2019199267.tif 000006
【図５】
2019199267.tif 000007
【図６】
2019199267.tif 000008
【図７】
2019199267.tif 000009
【図８】
2019199267.tif 000010
【図９】
2019199267.tif 000011
【図１０】
2019199267.tif 000012